【事件の表示】
　特願２００８−２４９８６号「遊技球回収装置」拒絶査定不服審判事件〔平成２１年８月２０日出願公開、特開２００９−１８３３９５号〕について、次のとおり審決する。
【結　論】
　本件審判の請求は、成り立たない。
【理　由】
１　手続の経緯
　本件に係る出願（以下「本願」という。）は、平成２０年２月５日の特許出願であって、平成２２年１１月１９日付けで拒絶査定がなされ（発送日：同年１１月２４日）、これに対し、平成２３年２月２３日に拒絶査定不服審判の請求がなされたものである。
　
２　本願発明について
　本願の請求項１に係る発明（以下「本願発明」という。）は、平成２２年１１月５日の手続補正により補正された明細書及び図面の記載からみて、その特許請求の範囲の請求項１に記載された事項により特定される次のとおりのものである。 
「遊技場の島設備に設置された遊技機の背面側から排出される遊技球を受け入れて遊技球検出器へ導き、該遊技球検出器を経た遊技球を島設備内の遊技球回収樋へ導出する遊技球回収装置であって、前壁部と後壁部と第１側壁部と第２側壁部に囲まれた領域内へ前記第２側壁部側から前記第１側壁部側へ緩やかに下り傾斜するように形成した底壁部の上方空間であり、前記遊技機の背面側から排出される遊技球を受け入れる球受け空部と、該球受け空部の第１側壁部側へ前後方向に形成され前記球受け空部より流入する遊技球を下流である後方の球出口に導出する球流路と、が設けられた上面開放状の球受けボックスと、前記球受けボックスを前後方向へ移動可能に支持すると共に、前記球受けボックスよりも後方且つ下方に前記遊技球検出器を保持し、前記球受けボックスの球流路に連続する前後方向の流入部から側方に曲がる整流部を介して連なる流出部の最下流端が前記遊技球検出器に至る球誘導路が設けられた球受けボックス支持体と、前記球受けボックス支持体を支持する支持ピラーと、前記島設備における遊技機の背面側適所に固定され、前記支持ピラーを左右方向へ移動可能に支持する固定ベースと、を備え、前記球受けボックス支持体の球誘導路の流入部を、前記球受けボックスの球流路の下方に、当該球流路の球出口の前後方向変化可能範囲の全域に亘って重ねて設けることで、前記球受けボックスの前後方向への移動に伴う前記球流路における前記遊技球の導出位置の変位に応じて、前記球受けボックス支持体の球誘導路における前記流入部の遊技球導入位置を調整することができるようにしたことを特徴とする遊技球回収装置。」 
　 
３　刊行物について 
　原査定の拒絶理由において引用提示され、本願出願前に頒布された刊行物である特開２００５−３４８８９２号公報（以下「刊行物」という。）には、図面と共に次の事項が記載されている。 
　ア　「【請求項１】
　パチンコ機の背面側の取付ベース上に回収球タンクを設け、該回収球タンク上に球受皿を前後方向に移動可能に支持するとともに、該球受皿を前方向に付勢するバネを設けることにより該球受皿をパチンコ機背面の球排出口の下部に延出させ、かつ該球受皿の移動状態を検出する検知スイッチを設けてなることを特徴としたパチンコ球回収装置。」（【特許請求の範囲】）
　イ　「本発明は、パチンコ機の背面側の取付ベース上に設けられ、パチンコ機から排出されるアウト球等の回収球を受ける
パチンコ球回収装置
　ウ　「【発明が解決しようとする課題】
　ところで上記アウト球タンクの取付装置では、パチンコ機を交換したときに上記ロック部材を外して設置位置を再調整する必要があったが、その調整自体手間が掛かり、調整が適切に行われていないとパチンコ機から排出されるアウト球が詰まったりこぼれたりして不具合をまねくおそれがあった。また上記検知スイッチは、従来ではアウト球タンクの取付とは別途に取付られていたが、非常に狭くて煩雑な個所であるので適当な取付場所を得難いとともに、取付の手間，コストを要するものであった。」（段落【0005】）
　エ　「【発明の効果】
　
球排出口の位置がパチンコ機のメーカーや機種によって異なっていても調整の必要がなく、アウト球等の回収球を確実に受けられる
　図１は遊技場に設けられる
パチンコ機設置島
１はパチンコ機２が設置される
取付ベース
４は該パチンコ機２の背面側の取付ベース上に
長方形箱状の回収球タンクである
該可変取付台５は、取付ベース１の上面に基レール部材６
固着され、該基レール部材上に台幅方向に移動調節可能
支柱１０が設けられ、該支柱上に回収球タンク４を支持している
　上記
回収球タンク４は、底壁１５と両側壁１６とからなり、該底壁１５は後方に向かい緩い傾斜状に形成され、その後側縁に球集合部１７が形成され、該球集合部の下に計数装置１８が設けられ
　また、
回収球タンク４の前側に底壁２０ａと両側壁２０ｂ，前壁２０ｃとからなる球受皿２２が前記底壁１５上をスライドし前後方向に摺動可能なるように設けられる。該底壁２０ａは
後方に向かい緩い傾斜状に形成される
　また、２５は回収球タンク４の下面に固着された検知スイッチ、２６は球受皿２２が摺動することにより該検知スイッチを作動させられるようにガイドレール２４の一部にビス２７により固着されたスイッチ作動板である。また、回収球タンク４の底壁１５下面に一体に形成された筒状部２８に圧縮状態のコイルバネ２９を収容し、球受皿２２の底壁２０ａより垂下されたリブ３０を該バネの一端に係合させることにより、該バネの弾性により該球受皿２２を前方向に付勢してなる。
　このため、図３に矢印で示したように、バネ２９の弾性により球受皿２２が該
パチンコ機背面の球排出口３１の
前壁２０ｃがパチンコ機２の前面枠１２背面に圧着することにより、該球排出口から排出される
回収球Ｐを該球受皿２２に受けることができる
球受皿に受けられた回収球は
球集合部１７から落下し、計数装置１８を通ってホース１９から球回収樋３に流落する
球受皿２２はバネ２９の弾性により前方に移動する
　オ　上記記載事項エ及び図５には、球受け皿２２について、
底壁２０ａの上方空間であり、球排出口３１から排出される回収球Ｐを受ける球受け空間を設け、球受け空間より流入する回収球Ｐを他方の側壁側の後方へ導くこと
前壁２０ｃと両側壁２０ｂ、２０ｂにより区画された領域内へ、球受け皿２２の底壁２０ａが、一方の側壁２０ｂから他方の側壁２０ｂ側に向かい緩い下り傾斜状に形成されること
　
　カ　上記記載事項エ及び図５には、回収球タンク４について、
底壁１５と両側壁１６と後側縁に位置する後壁とからなること、底壁１５は後方、かつ、一方の側壁１６から他方の側壁１６側に向かい緩い下り傾斜状に形成されること
　
　上記ア〜エの記載事項、上記オ〜カの認定事項、及び、図面の図示内容を総合勘案すると刊行物には、次の発明が記載されていると認められる。
「パチンコ機設置島に設置されるパチンコ機２背面側の球排出口３１から排出される回収球Ｐを受け、計数装置１８へ落下させ、計数装置１８を通った回収球Ｐをホース１９から球回収樋３に流落させるパチンコ球回収装置であって、
　前壁２０ｃと両側壁２０ｂ、２０ｂにより区画された領域内へ、後方、かつ、一方の側壁２０ｂから他方の側壁２０ｂ側に向かい緩い下り傾斜状に形成された底壁２０ａの上方空間であり、球排出口３１から排出される回収球Ｐを受け入れる球受け空間を設け、球受け空間より流入する回収球Ｐを他方の側壁２０ｂ側の後方へ導く皿状の球受け皿２２と、
　底壁１５と両側壁１６と後側縁に位置する後壁とからなり、球受け皿２２が底壁１５上をスライドし前後方向に摺動可能なるように設けられ、底壁１５は後方、かつ、一方の側壁１６から他方の側壁１６側に向かい緩い下り傾斜状に形成され、その後縁側に球集合部１７が形成され、該球集合部１７の下に計数装置１８が設けられ、その後側縁に、下に計数装置１８が設けられる球集合部１７が形成された長方形箱状の回収球タンク４と、
　上に回収球タンク４を支持する支柱１０と、
　背面側の取付けベース１の上面に固着され、支柱１０を基レール部材６上に台幅方向に移動調節可能に設ける可変取付台５と、
　回収球タンク４の前側に、前壁２０ｃがパチンコ機２の前面枠１２背面に圧着するようにバネ２９の弾性により前方に移動する球受皿２２の底壁２０ａが、回収球タンク４の底壁１５上をスライドし前後方向に摺動可能なるように設けられた、
　球排出口の位置がパチンコ機のメーカーや機種によって異なっていても調整の必要がなく、アウト球等の回収球を確実に受けられるパチンコ球回収装置。」
　 
４　対比 
　本願発明と刊行物に記載された発明とを対比する。
　刊行物に記載された発明の「パチンコ機設置島に設置されるパチンコ機２背面側の球排出口３１から排出される回収球Ｐを受け、計数装置１８へ落下させ」ることは、その構成及び機能からみて、本願発明の「遊技場の島設備に設置された遊技機の背面側から排出される遊技球を受け入れて遊技球検出器へ導」くことに相当し、以下同様に、
　「計数装置１８を通った回収球Ｐをホース１９から球回収樋３に流落させる」ことは、「遊技球検出器を経た遊技球を島設備内の遊技球回収樋へ導出する」ことに、
　「パチンコ球回収装置」は、「遊技球回収装置」に、
　「背面側の取付けベース１の上面に固着され、支柱１０を基レール部材６上に台幅方向に移動調節可能に設ける可変取付台５」は、「島設備における遊技機の背面側適所に固定され、支持ピラーを左右方向へ移動可能に支持する固定ベース」に、
それぞれ相当する。
　そして、刊行物に記載された発明の「前壁２０ｃと両側壁２０ｂ、２０ｂにより区画された領域内へ、後方、かつ、一方の側壁２０ｂから他方の側壁２０ｂ側に向かい緩い下り傾斜状に形成された底壁２０ａの上方空間であり、球排出口３１から排出される回収球Ｐを受け入れる球受け空間を設け」ることと、本願発明の「前壁部と後壁部と第１側壁部と第２側壁部に囲まれた領域内へ第２側壁部側から第１側壁部側へ緩やかに下り傾斜するように形成した底壁部の上方空間であり、遊技機の背面側から排出される遊技球を受け入れる球受け空部」「が設けられ」ることとは、前者において、前壁２０ｃと両側壁２０ｂ、２０ｂと底壁２０ａとにより区画された領域は、空部を構成するものであるから、両者は、「少なくとも第２側壁部側から第１側壁部側へ緩やかに下り傾斜するように形成した底壁部の上方空間であり、遊技機の背面側から排出される遊技球を受け入れる球受け空部が設けられる」ことで共通し、以下同様に、
　「球受け空間より流入する回収球Ｐを他方の側壁２０ｂ側の後方へ導く」ことと「球受け空部の第１側壁部側へ前後方向に形成され球受け空部より流入する遊技球を下流である後方の球出口に導出する球流路」「が設けられること」とは、「形成され球受け空部より流入する遊技球を下流に導出する」ことで、
　「皿状の球受け皿２２」と「上面開放状の球受けボックス」とは、「上面開放状の球受け部」である点で、
　「球受け皿２２が底壁１５上をスライドし前後方向に摺動可能なるように設け、底壁１５は後方に向かい緩い下方傾斜状に形成され、その後縁側に球集合部１７が形成され、該球集合部１７の下に計数装置１８が設けられ」ることと、「球受けボックスを前後方向へ移動可能に支持すると共に、球受けボックスよりも後方且つ下方に遊技球検出器を保持」することとは、前者において、回収球Ｐが底壁１５から球集合部１７と計数装置１８と順に転がるように、球集合部１７が底壁１５の上でスライドする球受け皿２２の下方に位置していることは明らかであるから、両者は、「球受け部を前後方向へ移動可能に支持すると共に、球受け部よりも後方且つ下方に遊技球検出器を保持」することで、
　「後縁側に、下に計数装置１８が設けられる球集合部１７が形成された長方形箱状の回収球タンク４」と「球受けボックスの球流路に連続する前後方向の流入部から側方に曲がる整流部を介して連なる流出部の最下流端が遊技球検出器に至る球誘導路が設けられた球受けボックス支持体」とは、「流出部が遊技球検出器に至る球誘導路に設けられた球受け部支持体」である点で、
それぞれ共通する。
　「上に回収球タンク４を支持する支柱１０」と、「球受けボックス支持体を支持する支持ピラー」とは、「球受け部支持体を支持する支持ピラー」である点で、
　「回収球タンク４の前側に、前壁２０ｃがパチンコ機２の前面枠１２背面に圧着するようにバネ２９の弾性により前方に移動する球受皿２２の底壁２０ａが、回収球タンク４の底壁１５上をスライドし前後方向に摺動可能なるように設けられた」ことと、「球受けボックス支持体の球誘導路の流入部を、球受けボックスの球流路の下方に、当該球流路の球出口の前後方向変化可能範囲の全域に亘って重ねて設けることで、球受けボックスの前後方向への移動に伴う球流路における遊技球の導出位置の変位に応じて、球受けボックス支持体の球誘導路における流入部の遊技球導入位置を調整することができるようにしたこと」こととは、前者において、「球受皿２２の底壁２０ａが、回収球タンク４の底壁１５上をスライドし前後方向に摺動可能なるように設けられ」ていることにより、回収球タンク４底壁１５の球受皿２２底壁２２ａから回収球Ｐが流入する部分は、球受皿２２が移動により前後方向に摺動しても、回収球Ｐの導入位置を調整することができ、かつ、球受皿２２の摺動可能な範囲において、どの摺動位置においても「球受皿２２の底壁２０ａ」と「回収球タンク４の底壁１５」とは重ねて設けられているといえることから、両者は、「球受け部支持体の流入部を、球受け部の下方に、球受け部の前後方向変化可能範囲の全域に亘って重ねて設けることで、球受け部の前後方向への移動に伴う導出位置の変位に応じて、球受け部支持体の流入部の遊技球導入位置を調整することができるようにしたこと」で、
それぞれ共通する。
　 
　したがって、両者の一致点および相違点は、次のとおりである。
［一致点］
「遊技場の島設備に設置された遊技機の背面側から排出される遊技球を受け入れて遊技球検出器へ導き、該遊技球検出器を経た遊技球を島設備内の遊技球回収樋へ導出する遊技球回収装置であって、
　少なくとも前記第２側壁部側から前記第１側壁部側へ緩やかに下り傾斜するように形成した底壁部の上方空間であり、前記遊技機の背面側から排出される遊技球を受け入れる球受け空部が設けられ、前記球受け空部より流入する遊技球を下流に導出する上面開放状の球受け部と、
　前記球受け部を前後方向へ移動可能に支持すると共に、前記球受け部よりも後方且つ下方に前記遊技球検出器を保持し、流出部が前記遊技球検出器に至る球誘導路に設けられた球受け部支持体と、
　前記球受け部支持体を支持する支持ピラーと、
　前記島設備における遊技機の背面側適所に固定され、前記支持ピラーを左右方向へ移動可能に支持する固定ベースと、
を備え、
　球受け部支持体の流入部を、球受け部の下方に、球受け部の前後方向変化可能範囲の全域に亘って重ねて設けることで、球受け部の前後方向への移動に伴う導出位置の変位に応じて、球受け部支持体の流入部の遊技球導入位置を調整することができるようにした遊技球回収装置。」
　 
［相違点１］
　球受け部が、本願発明では、前壁部と後壁部と第１側壁部と第２側壁部に囲まれた領域内へ第２側壁部側から第１側壁部側へ緩やかに下り傾斜するように形成した底壁部の上方空間であり、球受け空部の第１側壁部側へ前後方向に形成され球受け空部より流入する遊技球を下流である後方の球出口に導出する球流路が設けられた上面開放状の球受けボックスであるのに対して、刊行物に記載された発明では、前壁２０ｃと両側壁２０ｂ、２０ｂにより区画された領域内へ、後方、かつ、一方の側壁２０ｂから他方の側壁２０ｂ側に向かい緩い下り傾斜状に形成された底壁２０ａの上方空間である球受け空部を設け、球受け空部より流入する回収球Ｐを他方の側壁側の後方へ導く皿状の球受け皿である点。
　
［相違点２］
　球受け部について、本願発明では、球受けボックスの球流路に連続する前後方向の流入部から側方に曲がる整流部を介して連なる流出部の最下流端が遊技球検出器に至る球受け流路が設けられるのに対して、刊行物に記載された発明では、その後側縁に、下に計数装置１８が設けられる球集合部１７が形成される点。
　
［相違点３］
　球受け部支持体の流入部を、球受け部の下方に、球受け部の前後方向変化可能範囲の全域に亘って重ねて設けることで、球受け部の前後方向への移動に伴う導出位置の変位に応じて、球受け部支持体の流入部の遊技球導入位置を調整することができるようにするための構成が、本願発明では、球受けボックス支持体の球誘導路の流入部を、球受けボックスの球流路の下方に、当該球流路の球出口の前後方向変化可能範囲の全域に亘って重ねて設けることで、球受けボックスの前後方向への移動に伴う球流路における遊技球の導出位置の変位に応じて、球受けボックス支持体の球誘導路における流入部の遊技球導入位置を調整することができるようにした構成であるのに対して、刊行物に記載された発明では、回収球タンク４の前側に、前壁２０ｃがパチンコ機２の前面枠１２背面に圧着するようにバネ２９の弾性により前方に移動する球受皿２２の底壁２０ａが、回収球タンク４の底壁１５上をスライドし前後方向に摺動可能となるように設けられた構成である点。
　
５　当審による判断
（１）上記相違点１について
　遊技球回収装置の技術分野において、前壁部と後壁部と第１側壁部と第２側壁部に囲まれた領域内へ第２側壁部側から第１側壁部側へ緩やかに下り傾斜するように形成した底壁部の上方空間である球受け空部と、球受け空部の第１側壁部側へ前後方向に形成され球受け空部より流入する遊技球を下流である後方の球出口に導出する球流路とが設けられている、パチンコ機の種類に応じて球受けボックスの位置調整可能な遊技球回収装置は、本願出願前に周知の技術事項である（例えば、原査定の拒絶の理由で提示され特開２００６−２３８９９９号公報の段落【0052】〜【0067】、【0082】〜【0089】、【図2】には、起立壁２１ｂから起立壁２１ｄ側に緩やかに下り傾斜する第１傾斜底部２２１と、起立壁２１ｄ側に球流路である第２傾斜底部２２２とを具備した上面開放状のタンク部２について、タンク部２を支持する支持部３を、前後、左右、上下に位置調整可能としたことが記載され、同じく原査定で提示された実願昭５９−８３１３号（実開昭６０−１２２１８２号）のマイクロフィルムの第6ページ第15行〜第7ページ第14行、第3図には、前壁部と後壁部と第１側壁部と第２側壁部に囲まれた領域内へ第２側壁部側から第１側壁部側へ緩やかに下り傾斜するように形成した底壁部の上方空間であり、球受け空部の第１側壁部側へ前後方向に形成され球受け空部より流入する遊技球を下流である後方の球出口に導出する球流路が設けられた上面開放状の球受ケース９について、球受ケース９の位置を左右、前後、上下に移動可能とすることが記載されている。以下「周知の技術事項１」という。）。
　そして、刊行物に記載された発明において、球排出口３１から排出される回収球Ｐを受け入れる球受け空間を有し、前後方向に摺動可能な皿状の球受け皿２２に、上記周知の技術事項１であるパチンコ機の種類に応じて位置調整可能な球受けボックスを適用することは当業者が必要に応じてなし得たものであり、その際に、回収球タンク４を構成する「後側縁に位置する後壁」を球受け皿２２の後側縁に転用して球受けボックスとして、上記相違点１に係る本願発明の発明特定事項に到達することは当業者が容易になし得たものである。
　
（２）上記相違点２について
　同じく、遊技球回収装置の技術分野において、球受けボックスの球流路に連続する前後方向の流入部から側方に曲がる整流部を介して連なる流出部の最下流端が遊技球検出器に至る球誘導路を有する、パチンコ機の種類に応じて球受けボックスの位置調整可能な遊技球回収装置は、本願出願前に周知の技術事項である（例えば、上記特開２００６−２３８９９９号公報の段落【0001】〜【0034】、【0058】〜【0067】、【図2】〜【図3】には、前後方向の球流路である第２傾斜底部２２２から、タンク部側傾斜通路５１へ球が流入する際、コーナ部において一列に球を整列することや、上記実願昭５９−８３１３号（実開昭６０−１２２１８２号）のマイクロフィルムの第6ページ第15行〜第7ページ第14行、第3図には、球受ケース９の前後方向に形成された左方流路から計数メータ５に接続される流路１２に球が流入する際、コーナー部において一列に整列することが示されている。以下「周知の技術事項２」という。）
　そして、刊行物に記載された発明の回収球タンク４の球集合部１７と、上記周知の技術事項２に示された球受けボックスの球誘導路とは、遊技球検出器に球を導く通路という点で共通する機能を有するものである。
　してみると、刊行物に記載された発明において、回収球タンク４の球集合部１７に、上記周知の技術事項２に示された、パチンコ機の種類に応じて位置調整可能な球受けボックスを具備する遊技球回収装置の球流路を適用して、上記相違点２に係る本願発明の発明特定事項に到達することは当業者が容易になし得たものである。
　
（３）上記相違点３について
　刊行物に記載された発明において、球受皿２２に球流路を形成することについては、上記（１）において検討したとおりである。
　また、刊行物に記載された発明において、回収球タンク４に球誘導路を形成することについては、上記（２）において検討したとおりである。
　そして、刊行物に記載された発明に上記周知の技術事項１〜２を適用して、上記相違点３に係る本願発明の発明特定事項に到達することは当業者が容易になし得たものである。
　
（４）小括
　発願発明の効果についてみても、刊行物に記載された発明及び上記周知の技術事項１〜２から当業者が予測できた効果の範囲内のものである。
　
６　むすび
　以上のとおりであるから、本願発明は、刊行物に記載された発明及び上記周知の技術事項１〜２に基づいて当業者が容易に発明をすることができたものであり、特許法第２９条第２項の規定により特許を受けることができない。 
　したがって、本願のその他の請求項に係る発明について検討するまでもなく、本願は拒絶すべきものである。
　
　よって、結論のとおり審決する。